(57)【特許請求の範囲】
【請求項１】
平板状の屋根材に取り付けられる取付部と、前記取付部の一端部より上方に延びる雪止め部と、を備え、前記取付部の他端部には固定用釘又は固定用ネジが挿通される貫通孔が設けられた雪止金具において、
前記取付部の下面には粘着手段が取り付けられ、前記粘着手段は略三角形状の粘着シートから構成され、前記粘着シートは前記貫通孔と前記雪止め部との間に配設され、前記取付部が前記粘着シートを介して前記屋根材に取り付けられ、前記粘着シートの底部は前記取付部の一端部側を向き、その頂部は前記取付部の他端部側を向いていることを特徴とする雪止金具。
【請求項２】
前記粘着シートの厚さは０．５ｍｍ〜２．０ｍｍに構成されていることを特徴とする請求項１に記載の雪止金具。
【請求項３】
雪止金具を平板状の屋根材に施工する雪止金具の施工方法であって、
前記雪止金具は、前記屋根材に取り付けられる取付部と、前記取付部の一端部より上方に延びる雪止め部と、を備え、前記取付部の他端部には固定用釘又は固定用ネジが挿通される貫通孔が設けられ、前記取付部の下面には略三角形状の粘着シートが取り付けられ、その底部が前記取付部の一端部側を向き、その頂部が前記取付部の他端部側を向くように、前記粘着シートは前記貫通孔と前記雪止め部との間に配設され、また前記屋根材には前記固定用釘又は前記固定用ネジが挿通される複数の固定用孔が設けられており、
前記雪止金具を施工する際には、野地板に前記屋根材を複数横方向に並べて配設し、前記複数の屋根材に前記雪止金具の前記取付部を複数横方向に並べて前記粘着シートを介して取り付け、前記固定用釘又は前記固定用ネジを前記複数の雪止金具の前記貫通孔及び前記複数の屋根材の各々の前記複数の固定用孔を通して前記野地板に打ち込み、更に前記複数の雪止金具の前記取付部の他端部を覆うようにして前記野地板に前記屋根材を複数横方向に並べて配設することを特徴とする雪止金具の施工方法。
【発明の詳細な説明】
【技術分野】
【０００１】
本発明は、家屋の屋根に設置され、屋根に積もった雪が落下するのを防止するための雪止金具及びその施工方法に関する。
【背景技術】
【０００２】
従来より、雪の多い地域では、家屋の屋根には雪止金具が設置され、この雪止金具によって屋根に積もった雪が庇やカーポートの屋根、隣接する家屋との境界部などに落下するのが防止される（例えば、特許文献１参照）。図１１及び図１２は従来の雪止金具であり、図示の雪止金具１００は、例えばカラーベスト等の平板状の屋根材１０２に取り付けられる取付部１０４と、取付部１０４の一端部より上方に延びる雪止め部１０６と、を備えている。取付部１０４の他端部には段差部１０８が設けられ、この段差部１０８には固定用釘１１０が挿通される複数の貫通孔１１２が設けられている。
【０００３】
上述した雪止金具１００の施工は、次のようにして行われる。野地板１１４に下葺き材（ルーフィング）（図示せず）を介して屋根材１０２を複数横方向に並べて配設し、固定用釘１１０を用いてこれら複数の屋根材１０２を野地板１１４に固定する。その後、隣接する一対の屋根材１０２の接続部の上端部に段差部１０８が係止されるようにして雪止金具１００を配設し、固定用釘１１０を貫通孔１１２に挿入して野地板１１４に打ち込み、これにより雪止金具１００が屋根材１０２に固定される。更にその後、これら複数の雪止金具１００の取付部１０４の他端部を覆うようにして、野地板１１４に複数の屋根材１０２を横方向に所定長さＤ２だけずらしながら並べて配設し、上述と同様にして固定用釘１１０を用いてこれら複数の屋根材１０２を野地板１１４に固定するとともに雪止金具１００を屋根材１０２に固定する。このようにして複数の雪止金具１００が千鳥状に並んで配設される。
【０００４】
【特許文献１】実用新案登録第２５４０４４２号公報
【発明の開示】
【発明が解決しようとする課題】
【０００５】
しかしながら、上述した従来の雪止金具１００では、次のような問題がある。第１に、取付部１０４は段差部１０８において野地板１１４に固定されているのみであるので、屋根に積もった雪の重量が雪止め部１０６に軒先方向（図１２において矢印Ｐで示す方向）に加わると、取付部１０４が弓状に撓むようになる。このように取付部１０４が撓むと、取付部１０４の他端部を覆う屋根材１０２が浮き上がり、雪の重量によってこの屋根材１０２が割れてしまうおそれがある。また、取付部１０４が撓んだ際に、雪止め部１０６の下端部が屋根材１０２の表面を引っ掻くようになり、屋根材１０２の表面が破損するおそれがある。
【０００６】
第２に、雪止金具１００は隣接する一対の屋根材１０２の接続部に配設されるので、屋根材１０２の横方向の長さＤ１（例えば約９１０ｍｍ）が長い場合には、雪止金具１００の配置間隔Ｄ２（＝Ｄ１／２）（例えば約４５５ｍｍ）も大きくなり、それ故に、屋根に積もった雪が隣接する一対の雪止金具１００の間から落下するおそれがある。また、固定用釘１１０を用いて雪止金具１００を屋根材１０２に固定する際には、雪止金具１００が滑り落ちないように雪止金具１００を手で支えておく必要があり、このように雪止金具１００を手で支えながら固定用釘１１０を打ち込むのは作業効率が悪く、施工効率が低下するという問題がある。
【０００７】
本発明の目的は、屋根に積もった雪の重量が雪止め部に加わった際に、屋根材の破損を防止することができる雪止金具を提供することである。
また、本発明の他の目的は、屋根に積もった雪の落下を抑制することができるとともに、施工効率を高めることができる雪止金具の施工方法を提供することである。
【課題を解決するための手段】
【０００８】
本発明の請求項１に記載の雪止金具は、平板状の屋根材に取り付けられる取付部と、前記取付部の一端部より上方に延びる雪止め部と、を備え、前記取付部の他端部には固定用釘又は固定用ネジが挿通される貫通孔が設けられた雪止金具において、
前記取付部の下面には粘着手段が取り付けられ、前記粘着手段は略三角形状の粘着シートから構成され、前記粘着シートは前記貫通孔と前記雪止め部との間に配設され、前記取付部が前記粘着シートを介して前記屋根材に取り付けられ、前記粘着シートの底部は前記取付部の一端部側を向き、その頂部は前記取付部の他端部側を向いていることを特徴とする雪止金具。
【００１０】
また、本発明の請求項２に記載の雪止金具では、前記粘着シートの厚さは０．５ｍｍ〜２．０ｍｍに構成されていることを特徴とする。
さらに、本発明の請求項３に記載の雪止金具の施工方法では、雪止金具を平板状の屋根材に施工する雪止金具の施工方法であって、
前記雪止金具は、前記屋根材に取り付けられる取付部と、前記取付部の一端部より上方に延びる雪止め部と、を備え、前記取付部の他端部には固定用釘又は固定用ネジが挿通される貫通孔が設けられ、前記取付部の下面には略三角形状の粘着シートが取り付けられ、その底部が前記取付部の一端部側を向き、その頂部が前記取付部の他端部側を向くように、前記粘着シートは前記貫通孔と前記雪止め部との間に配設され、また前記屋根材には前記固定用釘又は前記固定用ネジが挿通される複数の固定用孔が設けられており、
前記雪止金具を施工する際には、野地板に前記屋根材を複数横方向に並べて配設し、前記複数の屋根材に前記雪止金具の前記取付部を複数横方向に並べて前記粘着シートを介して取り付け、前記固定用釘又は前記固定用ネジを前記複数の雪止金具の前記貫通孔及び前記複数の屋根材の各々の前記複数の固定用孔を通して前記野地板に打ち込み、更に前記複数の雪止金具の前記取付部の他端部を覆うようにして前記野地板に前記屋根材を複数横方向に並べて配設することを特徴とする。
【発明の効果】
【００１１】
本発明の請求項１に記載の雪止金具によれば、取付部の下面には粘着シートが取り付けられ、取付部が粘着シートを介して屋根材に取り付けられるので、取付部の貫通孔と雪止め部との間の部位が屋根材に固定される。従って、屋根に積もった雪の重量が雪止め部に軒先方向に加わった際に、取付部が弓状に撓むのが抑制され、これにより屋根材が浮き上がって破損するのを防止することができる。また、略三角形状の粘着シートの底部は取付部の一端部側を向き、その頂部は取付部の他端部側を向いているので、雨水が取付部と屋根材との間の隙間に浸入した際に、この浸入した雨水が粘着シートの両側部に沿って流下するようになり、これにより雨水が上記隙間に溜まるのが防止され、防水性を高めることができる。
【００１３】
また、本発明の請求項２に記載の雪止金具によれば、粘着シートの厚さは０．５ｍｍ〜２．０ｍｍに構成されているので、取付部と屋根材との間の隙間が小さくなり、それ故に、太陽光がこの隙間を通して粘着シートの両側部に照射され難くなり、太陽光により粘着シートが劣化するのを抑制することができる。
【００１４】
さらに、本発明の請求項３に記載の雪止金具の施工方法によれば、固定用釘又は固定用ネジを複数の雪止金具の貫通孔及び複数の屋根材の各々の複数の固定用孔を通して野地板に打ち込むので、屋根材の固定用孔の配設個所に対応して雪止金具が配設される。従って、屋根材の横方向の長さが長い場合であっても、固定用孔の配置間隔を小さくすることによって、雪止金具の配置間隔を小さくすることができ、屋根に積もった雪が隣接する一対の雪止金具の間から落下するのを抑制することができる。これにより、雪の多い地域の家屋の屋根に対しても好適に用いることができ、雪止金具の施工エリアを拡げることができる。また、このように雪止金具の配置間隔が小さくなると、これに対応して屋根に設置される雪止金具の数が増加し、これにより各雪止金具の雪止め部に作用する雪の重量が軽減され、屋根に積もった雪を各雪止金具の雪止め部で確実に支持することができる。また、取付部の下面には粘着シートが取り付けられ、取付部が粘着シートを介して屋根材に取り付けられるので、取付部の貫通孔と雪止め部との間の部位が屋根材に固定される。従って、屋根に積もった雪の重量が雪止め部に軒先方向に加わった際に、取付部が弓状に撓むのが抑制され、これにより屋根材が浮き上がって破損するのを防止することができる。また、施工時において例えば作業者の足が雪止金具に当たるなどした際に、雪止金具が横方向にずれるのが防止され、雪止金具を所定の位置に精度良く配設することができ、また、固定用釘又は固定用ネジを用いて雪止金具を屋根材に固定する際に雪止金具を手で支えておく必要がなく、施工効率を高めることができる。加えて、粘着シートは略三角形状であり、その底部は取付部の一端部側を向き、その頂部は取付部の他端部側を向いているので、雨水が取付部と屋根材との間の隙間に浸入した際に、この浸入した雨水が粘着シートの両側部に沿って流下するようになり、これにより雨水が上記隙間に溜まるのが防止され、防水性を高めることができる。
【発明を実施するための最良の形態】
【００１５】
以下、添付図面を参照して、本発明に従う雪止金具及びその施工方法の一実施形態について説明する。図１は、本発明の一実施形態による第１雪止金具を示す斜視図であり、図２は、図１の第１雪止金具の第１取付部の下面側を示す図であり、図３は、本発明の一実施形態による第２雪止金具を示す斜視図であり、図４は、図３の第２雪止金具の第２取付部の下面側を示す図であり、図５は、第３列目の屋根材に第２雪止金具を取り付けた状態を示す概略図であり、図６は、図５の状態から第４列目の屋根材を敷設するとともにこれらに第１及び第２雪止金具を取り付けた状態を示す概略図であり、図７は、図６の状態から第５列目の屋根材を敷設した状態を示す概略図である。
【００１６】
本実施形態においては、雪止金具は、第１雪止金具２と、この第１雪止金具２よりも長さの長い第２雪止金具４とから構成されている。図１及び図２を参照して、図示の第１雪止金具２は、第１取付部６と、第１取付部６の一端部より上方に延びる第１雪止め部８と、を備えている。第１取付部６の中央部から第１雪止め部８の一端部にかけて複数のリブ１０が延びて設けられ、この複数のリブ１０によって第１雪止め部８の強度が高められる。また、第１取付部６の中央部からその他端部にかけて複数のリブ１２が延びて設けられ、この複数のリブ１２によって第１取付部６の強度が高められる。第１雪止め部８の一端部及び第１取付部６と第１雪止め部８との接続部にはそれぞれ、雪解け水を排出するための排水用開口部１４が設けられている。また、第１取付部６の他端部には、固定用釘１６を挿通するための円形状の第１貫通孔１８が設けられている。
【００１７】
第１取付部６の下面には、略三角形状の粘着シート２０（粘着手段を構成する）が取り付けられている。この粘着シート２０の両面にはそれぞれ粘着層（図示せず）が形成されており、一方の粘着層は第１取付部６の下面において第１貫通孔１８と第１雪止め部８との間の部位、より具体的には複数のリブ１２が設けられた部位に貼着されている。なお、本実施形態では、粘着シート２０はアクリル系独立発泡型粘着剤から形成され、これにより一方の粘着層が複数のリブ２０の凹凸形状に応じて変形され、両者が高いシール性でもって相互に強固に接着される。また、他方の粘着層には保護シート２２が剥離自在に貼着されており、この保護シート２２により、第１雪止金具２の運搬時や保管時などにおいて、他方の粘着層の表面に埃や水分等が付着して粘着性が低下するのが防止される。粘着シート２０の底部は第１取付部６の一端部側を向いており、またその頂部は第１取付部６の他端部側を向いている。また、粘着シート２０の厚さは約１．０ｍｍに構成されている。
【００１８】
第２雪止金具４は、第２取付部２４と、第２取付部２４の一端部より上方に延びる第２雪止め部２６と、を備えている。第２取付部２４の長さは、第１取付部６の長さよりも長く（本実施形態では、約２．５倍程度の長さに）構成されている。第２取付部２４の他端部には段差部２８が設けられ、この段差部２８には固定用釘１６を挿通するための円形状の複数の第２貫通孔３０が設けられている。第２取付部２４の一端部近傍から第２雪止め部２６の一端部にかけて複数のリブ３２が延びて設けられており、この複数のリブ３２によって第２雪止め部２６の強度が高められる。また、第２取付部２４の長手方向中央部近傍からその一端部近傍にかけて複数のリブ３４が延びて設けられており、この複数のリブ３４によって第２取付部２４の強度が高められる。第２雪止め部２６の一端部及び第２取付部２４と第２雪止め部２６との接続部にはそれぞれ、雪解け水を排出するための排水用開口部３６が設けられている。
【００１９】
第２取付部２４の下面には、略三角形状の粘着シート２０が取り付けられ、この粘着シート２０は、第２貫通孔３０と第２雪止め部２６との間の部位、より具体的には複数のリブ３４が設けられた部位に配設される。この粘着シート２０は、上述した第１取付部６の下面に取り付けられた粘着シート２０と同様に構成されている。
【００２０】
図５〜図７をも参照して、上述した第１雪止金具２及び第２雪止金具４の施工方法について説明すると、次の通りである。まず、図５に示すように、野地板３８の軒先部より下葺き材（ルーフィング）（図示せず）を介して第１列目及び第２列目の屋根材（図示せず）をそれぞれ複数横方向に並べて配設し、更に第２列目の屋根材の上側に第３列目の屋根材４０ａを複数横方向に並べて配設する。この屋根材４０ａは、例えばカラーベスト等の平板状のタイプのものから構成され、横方向の長さＬ１は例えば約９１０ｍｍに構成されている。この屋根材４０ａの両端部にはそれぞれ半円形状の固定用孔４２が設けられ、また屋根材４０ａの両端部の近傍にはそれぞれ一対の円形状の固定用孔４４が設けられ、それらの一方の（内側に配設された）固定用孔４４は、屋根材４０ａの端部から距離Ｌ３（例えば約２２８ｍｍ）だけ離間した部位に設けられており、この一方の固定用孔４４には後述するようにして第１雪止金具２が取り付けられる。従って、上述のように複数の屋根材４０ａを配設すると、隣接する一対の屋根材４０ａの接続部４６には、一対の半円形状の固定用孔４２が相互に合わさることによって円形状の固定用孔４２が形成される。
【００２１】
このように配設した第３列目の屋根材４０ａに第１雪止金具２を次のようにして取り付ける。保護シート２２を粘着シート２０の他方の粘着層から剥離し、第１取付部６の第１貫通孔１８と屋根材４０ａの固定用孔４４とを合致させ、第１雪止め部８が下側になるようにして、粘着シート２０の他方の粘着層を屋根材４０ａに貼着することにより、第１取付部６を粘着シート２０を介して屋根材４０ａに取り付ける。上述のように、本実施形態では粘着シート２０はアクリル系独立発泡型粘着剤から形成されているので、他方の粘着層が屋根材４０ａの表面の凹凸形状に応じて変形され、両者が高いシール性でもって相互に強固に接着される。更に、固定用釘１６を第１貫通孔１８及び固定用孔４４を通して野地板３８に打ち込むことにより、屋根材４０ａが野地板３８に固定されるとともに、第１雪止金具２が屋根材４０ａに固定される。これにより、第３列目の屋根材４０ａには、第１雪止金具２が複数横方向に所定の間隔Ｌ２（＝Ｌ１／２）（例えば約４５５ｍｍ）を置いて配設される。なお、屋根材４０ａの野地板３８に対する固定強度が一定以上に保たれる範囲において、一対の固定用孔４４は屋根材４０ａの両端部の近傍にそれぞれ配設することが好ましく、これにより固定用釘１６を固定用孔４２，４４に打ち込む際の作業員の無駄な動きを少なくすることができ、作業効率を高めることができる。また、第１雪止金具２の第１取付部６の長さは比較的短く（例えば約１３ｃｍ）構成されているので、複数の第１雪止金具２を相互に重ねた際の大きさがコンパクトになり、それ故に、複数の第１雪止金具２を相互に重ねた状態で携帯しながら第１雪止金具２の設置作業を行うことができ、作業効率を高めることができる。
【００２２】
次に、図６に示すように、第３列目の屋根材４０ａの上側に第４列目の屋根材４０ｂを複数横方向に並べて配設する。第４列目の屋根材４０ｂは、第３列目の屋根材４０ａに対して横方向に距離Ｌ２だけずれて配設され、また第４列目の屋根材４０ｂの下側部によって第１雪止金具４の第１取付部６の他端部が覆われるようになる。その後、第１雪止金具２の保護シート２２を粘着シート２０の他方の粘着層から剥離し、第１取付部６の第１貫通孔１８と隣接する一対の屋根材４０ｂの接続部４６に設けられた固定用孔４２とを合致させ、第１雪止め部６が下側になるようにして、粘着シート２０の他方の粘着層を屋根材４０ｂに貼着することにより、第１取付部６を粘着シート２０を介して屋根材４０ｂに取り付ける。更に、固定用釘１６を第１貫通孔１８及び固定用孔４２を通して野地板３８に打ち込むことにより、屋根材４０ｂが野地板３８に固定されるとともに、第１雪止金具２が屋根材４０ｂに固定される。
【００２３】
また、第２雪止金具４の保護シート２２を粘着シート２０の他方の粘着層から剥離し、段差部２８が屋根材４０ｂの横方向中間部における上側部に係止されるようにして、粘着シート２０の他方の粘着層を屋根材４０ｂに貼着するとともに、固定用釘１６を第２貫通孔３０を通して野地板３８に打ち込むことにより、第２取付部２４を粘着シート２０を介して屋根材４０ｂに取り付ける。このように取り付けることにより、第４列目の屋根材４０ｂには第１雪止金具２と第２雪止金具４とが横方向に交互に並んで配設され、また第３列目の屋根材４０ａに取り付けられた複数の第１雪止金具２と第４列目の屋根材４０ｂに取り付けられた複数の第１雪止金具２及び第２雪止金具４とが千鳥状に並んで配設される。
【００２４】
更にその後、図７に示すように、第４列目の屋根材４０ｂの上側に第５列目の屋根材４０ｃを複数横方向に並べて配設する。第５列目の屋根材４０ｃは、第４列目の屋根材４０ｂに対して横方向に距離Ｌ２だけずれて配設され、また第４列目の屋根材４０ｃの下側部によって第１雪止金具２の第１取付部６の他端部及び第２雪止金具４の第２取付部２４の他端部がそれぞれ覆われるようになる。ここで、第５列目の隣接する一対の屋根材４０ｃの接続部４６は第２雪止金具４の第２取付部２４の上方に配設されており、これによってこの接続部４６の隙間より雨水が浸入した際に、この雨水が第２取付部２４の上面に沿って流下するようになり、第２貫通孔３０を通して野地板３８に雨水が浸入するのが防止される。
【００２５】
本実施形態の雪止金具では、第１雪止金具２及び第２雪止金具４はそれぞれ粘着シート２０を介して屋根材４０ａ，４０ｂに取り付けられるので、屋根に積もった雪の重量が第１雪止め部８及び第２雪止め部２６に軒先方向に加わった際に、第１取付部６及び第２取付部２４が弓状に湾曲されるのが抑制され、これにより屋根材４０ｂ，４０ｃが浮き上がって破損するのが防止される。
【００２６】
また、第１雪止金具２及び第２雪止金具４の配置間隔はＬ３となって屋根材４０ａ〜４０ｃの横方向の長さＬ１の４分の１程度の長さとなり、これにより第１雪止金具２及び第２雪止金具４の配置間隔を小さくすることができ、屋根に積もった雪が隣接する一対の第１雪止金具２（又は隣接する第１雪止金具２及び第２雪止金具４）の間から落下するのを抑制することができる。なお、屋根材４０ａ〜４０ｃに設けられた固定用孔４２，４４の個数及び配置間隔を適宜設定することにより、第１雪止金具２及び第２雪止金具４の配置間隔を適宜設定することができる。
【００２７】
更に、粘着シート２０は上述のように構成されているので、雨水が第１取付部６（第２取付部２４）と屋根材４０ａ，４０ｂとの間の隙間から浸入した際に、この雨水が粘着シート２０の両側部に沿って流下し、これにより雨水がこの隙間に溜まるのが防止され、防水性を高めることができる。
【００２８】
また、本実施形態では、粘着シート２０の厚みを約１．０ｍｍに構成したが、この厚みは０．５ｍｍ〜２．０ｍｍに構成するのが好ましく、かく構成することにより、第１取付部６（第２取付部２４）と屋根材４０ａ，４０ｂとの間の隙間が小さくなり、それ故に、太陽光がこの隙間を通して粘着シート２０の両側部に照射され難くなり、太陽光により粘着シート２０が劣化するのを抑制することができる。
【００２９】
以上、本発明に従う雪止金具及びその施工方法の一実施形態について説明したが、本発明はかかる実施形態に限定されるものではなく、本発明の範囲を逸脱することなく種々の変形乃至修正が可能である。
【００３０】
例えば、上記実施形態では、粘着シート２０を略三角形状に構成したが、これに限られず、適宜の形状に構成することができる。例えば、粘着シート２０を縦長の矩形状に構成し、一対の粘着シート２０をそれぞれ第１取付部６（第２取付部２４）の下面における両側部に取り付けるようにしてもよい。
【００３１】
また例えば、上記実施形態では、固定用釘１６を用いて第１雪止金具２及び第２雪止金具４を屋根材４０ａ，４０ｂに取り付けるようにしたが、固定用釘１６に代えて固定用ネジを用いるようにしてもよい。
【００３２】
また例えば、上記実施形態では、雪止金具２，４として図１〜図４に示すタイプのものを用いたが、これに限られず、種々のタイプ、例えば図８〜図１０に示すタイプのものを用いることができる。図８及び図９の雪止金具２Ａ，２Ｂでは、雪止め部８Ａ，８Ｂが三角形状に折り曲げられており、また図１０の雪止金具２Ｃでは、取付部６Ｃと雪止め部８Ｃとが補強部材４８により相互に連結されている。
【００３３】
また例えば、上記実施形態では、粘着手段を粘着シート２０から構成したが、これに限られず、例えば粘着ゴムやコーキングなどから構成することもできる。
また例えば、上記実施形態では、屋根材４０ａ〜４０ｃの横方向の長さＬ１を約９１０ｍｍに構成したが、これに限られず、屋根材４０ａ〜４０ｃの大きさ及び形状は適宜設定することができる。
【図面の簡単な説明】
【００３４】
【図１】本発明の一実施形態による第１雪止金具を示す斜視図である。
【図２】図１の第１雪止金具の第１取付部の下面側を示す図である。
【図３】本発明の一実施形態による第２雪止金具を示す斜視図である。
【図４】図３の第２雪止金具の第２取付部の下面側を示す図である。
【図５】第３列目の屋根材に第２雪止金具を取り付けた状態を示す概略図である。
【図６】図５の状態から第４列目の屋根材を敷設するとともにこれらに第１及び第２雪止金具を取り付けた状態を示す概略図である。
【図７】図６の状態から第５列目の屋根材を敷設した状態を示す概略図である。
【図８】第１の変形形態の雪止金具を示す斜視図である。
【図９】第２の変形形態の雪止金具を示す斜視図である。
【図１０】第３の変形形態の雪止金具を示す斜視図である。
【図１１】従来の雪止金具を屋根材に取り付けた状態を示す概略図である。
【図１２】図１１の雪止金具及び屋根材の概略断面図である。
【符号の説明】
【００３５】
２，２Ａ，２Ｂ，２Ｃ  第１雪止金具
４  第２雪止金具
６，６Ａ，６Ｂ，６Ｃ  第１取付部
８，８Ａ，８Ｂ，８Ｃ  第１雪止め部
１６  固定用釘
１８，１８Ａ，１８Ｂ，１８Ｃ  第１貫通孔
２０  粘着シート
２４  第２取付部
２６  第２雪止め部
３０  第２貫通孔
３８  野地板
４０ａ〜４０ｃ  屋根材
４２，４４  固定用孔
【図１】
0005158783.tif 000002
【図２】
0005158783.tif 000003
【図３】
0005158783.tif 000004
【図４】
0005158783.tif 000005
【図５】
0005158783.tif 000006
【図６】
0005158783.tif 000007
【図７】
0005158783.tif 000008
【図８】
0005158783.tif 000009
【図９】
0005158783.tif 000010
【図１０】
0005158783.tif 000011
【図１１】
0005158783.tif 000012
【図１２】
0005158783.tif 000013